(57)【特許請求の範囲】
【請求項１】
容器本体、その開口部に嵌合される中栓、その開口部の外周面に形成された開口ねじ部、上記の開口部と中栓をカバーするキャップ、及び上記の容器本体に取付けられたハンドルからなり、上記の開口ねじ部を容器本体の胴部より小径に形成して両者の間に段差部を設け、上記のハンドルを環状のハンドル基部に取付け、該ハンドル基部を上記の開口ねじ部に着脱自在に嵌合して上記の段差部に当て、上記の開口ねじ部に螺合した締付け部材により上記のハンドル基部を締付け、該締付け部材に設けたキャップねじ部に上記のキャップを螺合した液体容器において、上記の容器本体の底面に底ねじ部を設け、該底ねじ部を容器本体より小径に形成して両者の間に底段差部を設け、上記ハンドルの他端を環状の下部ハンドル基部に取付け、該下部ハンドル基部を上記の底ねじ部に着脱自在に嵌合して上記の底段差部に当て、上記底ねじ部に螺合した底部材により上記の下部ハンドル基部を締付けたことを特徴とする液体容器。
【請求項２】
容器本体、その開口部に嵌合される中栓、その開口部の外周面に形成された開口ねじ部、上記の開口部と中栓をカバーするキャップ、及び上記の容器本体に取付けられたハンドルからなり、上記の開口ねじ部を容器本体の胴部より小径に形成して両者の間に段差部を設け、上記のハンドルを環状のハンドル基部に取付け、該ハンドル基部を上記の開口ねじ部に着脱自在に嵌合して上記の段差部に当て、上記の開口ねじ部に螺合した締付け部材により上記のハンドル基部を締付け、該締付け部材に設けたキャップねじ部に上記のキャップを螺合した液体容器において、上記の開口ねじ部を上記の段差部側の大径ねじ部と先端側の小径ねじ部の２部分により形成し、その大径ねじ部に上記の締付け部材を螺合し、上記の小径ねじ部に上記の中栓を螺合したことを特徴とする液体容器。
【発明の詳細な説明】
【０００１】
【発明の属する技術分野】
この発明は、魔法びん、水筒など主として携帯型の液体容器に関し、特に廃棄処分時における材料の分別やリサイクル使用が容易にできる液体容器に関するものである。
【０００２】
【従来の技術】
魔法びん、水筒などの携帯用の液体容器は、金属製の容器本体、その上端開口部に嵌合される中栓、その開口部の外周面に形成された開口ねじ部、上記の開口部と中栓をカバーするキャップ、及び上記の容器本体に取付けられたハンドル又は吊り紐により構成されるのが一般的である。この場合、ハンドルや吊り紐を取付け、また中栓やキャップを螺合させるために、容器本体の肩部分に合成樹脂製の肩部材が固着され、その肩部材にハンドル等の取付け部と、中栓等の螺合部が設けられる。
【０００３】
また、必要に応じてハンドルや吊り紐を取外したシンプルな形状にしてバッグ等に収納し易くするために、上記の肩部材をハンドル等の取付け部材と、中栓等の螺合用のねじ部材の２部材に分け、そのねじ部材を容器本体の開口部に固着すると共に、ハンドル等の取付け部材を該ねじ部材に着脱自在に螺合した構成をとることも知られている（特開平８−２２８８３９号公報参照）。
【０００４】
【発明が解決しようとする課題】
上記のような従来の液体容器を廃棄処分する際、材料ごとに分離しようとしても、容器本体に固着された肩部材或いは肩部材の一部を構成する上記のねじ部材は、容器本体から容易に分離させることができない問題があった。
【０００５】
また、通常の使用時における手入れに際しても、各部材に分離できないためにすみずみまで掃除ができない不便があった。
【０００６】
そこで、この発明は液体容器の各構成部材ごとに容易に分離できるようにして、廃棄処分時に材料ごとの分別とそのリサイクル使用が容易にでき、また十分な手入れができるようにした液体容器を提供することを課題とする。
【０００７】
【課題を解決するための手段】
上記の課題を解決するために、この発明は、容器本体、その開口部に嵌合される中栓、その開口部の外周面に形成された開口ねじ部、上記の開口部と中栓をカバーするキャップ、及び上記の容器本体に取付けられたハンドルからなる液体容器において、上記の開口ねじ部を容器本体の胴部より小径に形成して両者の間に段差部を設け、上記のハンドルを環状のハンドル基部に取付け、該ハンドル基部を上記の開口ねじ部に着脱自在に嵌合して上記の段差部に当て、上記の開口ねじ部に螺合した締付け部材により上記のハンドル基部を締付け、該締付け部材に設けたキャップねじ部に上記のキャップを螺合した構成とした。
【０００８】
なお、この場合、上記の容器本体の底面に底ねじ部を設け、該底ねじ部を容器本体より小径に形成して両者の間に底段差部を設け、上記ハンドルの他端を環状の下部ハンドル基部に取付け、該下部ハンドル基部を上記の底ねじ部に着脱自在に嵌合して上記の底段差部に当て、上記底ねじ部に螺合した底部材により上記の下部ハンドル基部を締付けた構成や、上記の開口ねじ部を上記の段差部側の大径ねじ部と先端側の小径ねじ部の２部分により形成し、その大径ねじ部に上記の締付け部材を螺合し、上記の小径ねじ部に上記の中栓を螺合した構成をとることができる。
【０００９】
更に、前記の課題を解決する他の手段として、容器本体、その開口部に嵌合される中栓、その開口部の外周面に形成された開口ねじ部、上記の開口部と中栓をカバーするキャップ、及び上記の容器本体に取付けられたハンドルからなる液体容器において、上記の開口ねじ部を容器本体の胴部より小径に形成して両者の間に段差部を設け、上記のハンドルを環状のハンドル基部に取付け、該ハンドル基部を上記の開口ねじ部に着脱自在に螺合した構成をとることもできる。
【００１０】
この場合、上記の容器本体の底面に底ねじ部を設け、該底ねじ部に底部材を螺合した構成を採用することができる。
【００１１】
【発明の実施の形態】
以下、この発明の実施形態を添付図面に基づいて説明する。図１及び図２に示した第１実施形態の液体容器は携帯型魔法びんであり、ステンレス製真空二重容器でなる容器本体１は、胴部２の上端部に該胴部２より小径の開口ねじ部３が設けられ、胴部２と開口ねじ部３の間に段差部４が設けられる。
【００１２】
上記の開口ねじ部３は、上記の段差部４側が大径ねじ部５となり、また先端側が小径ねじ部６となるよう中間部分にねじ部段差部７が設けられる。また、胴部２の底面に円筒状の底ねじ部８が固着され、その底ねじ部８を胴部２より小径に形成することにより、両者の間に底段差部９を設けている。底ねじ部８の内側に真空排気時に使用されたチップ管の切断端（図示省略）が存在する。
【００１３】
上記の容器本体１に取付けられるハンドルユニット１１は、環状の上部ハンドル基部１２と下部ハンドル基部１２’及び両者の間のヒンジピン１３、１３により結合されたハンドル１４とからなる。上記の上部ハンドル基部１２と下部ハンドル基部１２’は、それぞれ開口ねじ部３の大径ねじ部５と底ねじ部８に着脱自在に嵌合され、図２（ａ）に示すように、上部ハンドル基部１２は段差部４に当接され、下部ハンドル基部１２’は底段差部９に当接される。
【００１４】
上記の上部ハンドル基部１２を固定するために、環状の締付け部材１５が大径ねじ部５に螺合され、上記の段差部４との間でこれを締め付けて固定する。また下部ハンドル基部１２’を固定するために、有底の底部材１６が底ねじ部８に螺合され、上記の底部材１６と底段部９との間で下部ハンドル基部１２’を締め付けて固定する。
【００１５】
上記の締付け部材１５は、その内周面に前記の大径ねじ部５に螺合する内周ねじ部１７が設けられると共に、外周面上部において一段小径に形成された嵌合部１８の外周面にキャップねじ部１９が設けられる。上記の上部ハンドル基部１２と締付け部材１５とを合わせた高さが、ほぼ大径ねじ部５の高さと等しい（図２（ａ）参照）。
【００１６】
上記の小径ねじ部６にはその上端の開口部２１から内部に挿入した中栓２２の頭部２３が螺合される。また、上記の締付け部材１５のキャップねじ部１９にキャップ２４が螺合され、そのキャップ２４により中栓２２と開口ねじ部３がカバーされる。
【００１７】
なお、下部ハンドル基部１２’を省略して、ハンドル１４を上部ハンドル基部１２のみにより容器本体１に取付けるようにしてもよい。
【００１８】
第１実施形態の液体容器は以上のようなものであり、通常の状態では、図２（ａ）に示すように、使用者がハンドル１４を把持して携帯する。手入れの際、或いは廃棄処分の際には、容器本体１、ハンドルユニット１１、締付け部材１５、底部材１６、中栓２２、キャップ２４の各螺合を外すことにより、これらの各部材に分離することができる。
【００１９】
また、使用時において、ハンドル１４が不要な場合は、締付け部材１５及び底部材１６を外し、ハンドルユニット１１を取り除いた後、これらの部材１５、１６を再びそれぞれ大径ねじ部５と底ねじ部８に螺合させ、段差部４、底段差部９に当接させると、図２（ｂ）に示すように、ハンドル１４の無いスッキリした外観の液体容器とすることができる。
【００２０】
なお、上記の第１実施形態においてハンドルユニット１１のハンドル１４に代えて吊り紐を使用することができる。「特許請求の範囲」における「ハンドル」には吊り紐を含む概念である。
【００２１】
次に、図３及び図４に示した第２実施形態の液体容器も携帯型の魔法びんであり、容器本体１の構造、底部材１６、中栓２２の構造は前述の場合と同じである。従って、同じ部分には同じ符号を附して示すに留め、重複した説明を省略する。
【００２２】
この場合のハンドルユニット２５は、前記の締付け部材１５と同様の構成のハンドル基部２６にハンドル２７を一体に設けたものである。ハンドル基部２６は内周ねじ部１７を有すると共に、外周面にキャップねじ部１９が設けられる。キャップ２４がそのキャップねじ部１９に螺合される。
【００２３】
上記の構造でなる第２実施形態の液体容器も、手入れの際、或いは廃棄処分の際には、容器本体１、ハンドルユニット２５、底部材１６、中栓２２、キャップ２４の各螺合を外すことにより、これらの各部材に分離することができる。
【００２４】
なお、この場合のハンドル２７も「吊り紐」を含む概念である。
【００２５】
【発明の効果】
以上のように、この発明は液体容器を各構成部材に分離することが容易にできるので、行き届いた手入れができると共に、廃棄処分の際には材料の分別とそのリサイクル使用が容易にできる効果がある。
【図面の簡単な説明】
【図１】第１実施形態の分解断面図
【図２】（ａ）同上の断面図
（ｂ）同上の他の使用状態における断面図
【図３】第２実施形態の分解断面図
【図４】同上の断面図
【符号の説明】
１  容器本体
２  胴部
３  開口ねじ部
４  段差部
５  大径ねじ部
６  小径ねじ部
７  ねじ部段差部
８  底ねじ部
９  底段差部
１１  ハンドルユニット
１２  上部ハンドル基部
１２’  下部ハンドル基部
１３  ヒンジピン
１４  ハンドル
１５  締付け部材
１６  底部材
１７  内周ねじ部
１８  嵌合部
１９  キャップねじ部
２１  開口部
２２  中栓
２３  頭部
２４  キャップ
２５  ハンドルユニット
２６  ハンドル基部
２７  ハンドル
【図１】
0003649951.tif 000002
【図２】
0003649951.tif 000003
【図３】
0003649951.tif 000004
【図４】
0003649951.tif 000005